(57)【要約】      （修正有）【課題】台座等の別部品を使用することなく、容易に巻線の引出線の位置決めを高い精度で行うことができる横型の巻線部品を提供する。【解決手段】磁性体からなる円筒状の芯材の外周が絶縁用のコアカバー１１によって覆われたコア１０と、コアカバー１１の外周を第１および第２の巻線部に分割する一対の壁状のリブ１２と、第１および第２の巻線部に巻回された第１および第２の巻線１３、１４とを備える。リブ１２の外周部に、軸線方向の端部に第１および第２の巻線の外周よりも外方に突出する脚部を有する引出線の固定部１７を一体成形し、固定部１７に、第１または第２の巻線の引出線１５、１６が固定部の内面側から外面側に引き出される凹溝部を形成し、固定部の脚部の外面に、当該外面に沿って引き出された引出線１５、１６を固定する位置決め部２１を設けた。【選択図】図１
2017073485.tif 000002
【特許請求の範囲】
【請求項１】
磁性体からなる円筒状の芯材の外周が絶縁層となる合成樹脂製のコアカバーによって覆われたコアと、上記コアカバーの外周の径方向に対向する位置に一体成形されて当該コアカバーの外周を第１の巻線部と第２の巻線部とに分割する一対の壁状のリブと、上記第１の巻線部に巻回された第１の巻線と、上第２の巻線部に巻回された第２の巻線とを備えた巻線部品において、
上記リブの外周部に、上記コアの接線方向と軸線方向へ延在するとともに上記軸線方向の端部に上記第１および第２の巻線の外周よりも外方に突出する脚部を有する引出線の固定部を一体成形するとともに、
上記固定部の上記接線方向の両端面に、上記第１の巻線または上記第２の巻線の上記引出線が上記固定部の内面側から外面側に引き出される凹溝部を形成し、
かつ上記固定部の脚部の上記外面に、当該外面に沿って引き出されて上記脚部の外方に先端部分を突出させた上記引出線を固定する位置決め部を設けたことを特徴とする巻線部品。
【請求項２】
上記固定部は、上記引出線が引き出される上記固定部の内面と上記凹溝部の内周面との間および上記凹溝部の上記内周面と上記固定部の外面との間に、上記引出線の線径よりも大きなＲ部が形成されていることを特徴とする請求項１に記載の巻線部品。
【請求項３】
上記固定部の板厚は、上記引出線の線径よりも大きいことを特徴とする請求項１または２に記載の巻線部品。
【発明の詳細な説明】
【技術分野】
【０００１】
本発明は、コモンモードチョークコイル等に用いられる横型の巻線部品に関するものである。
【背景技術】
【０００２】
一般に、デジタル電子機器類におけるデータ伝送用の回路基板には、伝送特性の相違によって生じるコモンモードのノイズ電流を除去するためのコモンモードチョークコイル（以下、コモンモードコイルと略す。）が組み込まれている。
【０００３】
図５は、上記コモンモードコイルのうち、下記特許文献１に開示されている横型のリングコイルを示すものである。
このリングコイル１は、トロイダル状のリングコア２と、このリングコア２に巻回された巻線３とから概略構成されたもので、巻線３の引出線３ａ、３ｂが各々プリント基板４の孔部４ａ、４ｂに挿入され、図示されないランドパターンに半田付けされることにより、プリント基板４に実装されるものである。
【０００４】
ところで、上記構成からなる横型のリングコイル１にあっては、巻線３の引出線３ａ、３ｂの位置を高い精度で加工することが難しく、しかも引出線３ａ、３ｂが固定されていない結果、常にその位置が不安定であるために、プリント基板４への実装を自動化することが難しいという問題点があった。また、巻線３がプリント基板４上に接触するために、他の回路パターンと干渉するおそれもあった。
【０００５】
そこで、近年においては、下記引用文献２に見られるような、リングコアに台座を取り付け、この台座に形成した孔部に巻線の引出線を挿通させて位置決めしたコモンモードコイルが広く用いられている。
【先行技術文献】
【特許文献】
【０００６】
【特許文献１】特開平０９−５５３１８号公報
【特許文献２】特開２０１０−２３２２４５号公報
【発明の概要】
【発明が解決しようとする課題】
【０００７】
しかしながら、このような台座を設けたコモンモードチョークコイルにおいては、引出線を固定するための台座が必要になるために、部品点数が増加するとともに、その取り付け作業にも余分の手間を要して経済性に劣るという問題点があった。
【０００８】
本発明は、上記事情に鑑みてなされたものであり、台座等の別部品を使用することなく、容易に巻線の引出線の位置決めを高い精度で行うことができる横型の巻線部品を提供することを課題とするものである。
【課題を解決するための手段】
【０００９】
上記課題を解決するため、請求項１に記載の発明は、磁性体からなる円筒状の芯材の外周が絶縁層となる合成樹脂製のコアカバーによって覆われたコアと、上記コアカバーの外周の径方向に対向する位置に一体成形されて当該コアカバーの外周を第１の巻線部と第２の巻線部とに分割する一対の壁状のリブと、上記第１の巻線部に巻回された第１の巻線と、上第２の巻線部に巻回された第２の巻線とを備えた巻線部品において、上記リブの外周部に、上記コアの接線方向と軸線方向へ延在するとともに上記軸線方向の端部に上記第１および第２の巻線の外周よりも外方に突出する脚部を有する引出線の固定部を一体成形するとともに、上記固定部の上記接線方向の両端面に、上記第１の巻線または上記第２の巻線の上記引出線が上記固定部の内面側から外面側に引き出される凹溝部を形成し、かつ上記固定部の脚部の上記外面に、当該外面に沿って引き出されて上記脚部の外方に先端部分を突出させた上記引出線を固定する位置決め部を設けたことを特徴とするものである。
【００１０】
また、請求項２に記載の発明は、請求項１に記載の発明において、上記固定部は、上記引出線が引き出される上記固定部の内面と上記凹溝部の内周面との間および上記凹溝部の上記内周面と上記固定部の外面との間に、上記引出線の線径よりも大きなＲ部が形成されていることを特徴とするものである。
【００１１】
さらに、請求項３に記載の発明は、請求項１または２に記載の発明において、上記固定部の板厚は、上記引出線の線径よりも大きいことを特徴とするものである。
【発明の効果】
【００１２】
請求項１〜３のいずれかに記載の発明においては、コアカバーに形成したリブの外周部に固定部を一体成形し、コアカバーに巻回された第１の巻線および第２の巻線の引出線を、各々固定部の内面側から屈曲させて凹溝部を通し、さらに外面側に屈曲させて引き出すとともに、先端部分を固定部から突出させた状態で、当該固定部に形成した脚部の外面に設けた位置決め部により固定している。
【００１３】
この結果、上記第１の巻線および第２の巻線の引出線は、それぞれ上記固定部の凹溝部において動きが拘束されたうえで、上記位置決め部において固定されているために、台座等の別部品を使用することなく、容易に第１および第２の巻線の引出線を高い精度で位置決めして固定することができる。
【００１４】
しかも、引出線の位置決め部が形成されている固定部の脚部が、上記第１および第２の巻線の外周よりも軸線方向外方に突出するように形成されているために、引出線の先端部分を基板の孔部に挿入した際に、上記脚部が基板上に当接して第１および第２の巻線の外周との間に空間を形成することができる。これにより、当該巻線部品を基板に実装した際に、第１または第２の巻線が基板上の回路パターンと干渉することを確実の防止することができる。
【００１５】
また、請求項２に記載の発明においては、上記固定部における引出線が通される凹溝部の角部を、引出線の線径よりも大きなＲ部によって形成しているために、引出線の線径が大きい場合においても当該引出線をＲ部に沿って容易に屈曲させて脚部の外面側に引き出すことができる。
【００１６】
さらに、請求項３に記載の発明によれば、上記固定部の板厚を引出線の線径よりも大きくしているために、同様に引出線の線径が大きい場合においても、屈曲時に固定部が撓んだり歪んだりすることを防止することができる。
【図面の簡単な説明】
【００１７】
【図１】本発明の巻線部品の一実施形態を示す平面図である。
【図２】図１の右側面図である。
【図３】図１の底面図である。
【図４】図１の正面図である。
【図５】従来のリングコイルを示す縦断面図である。
【発明を実施するための形態】
【００１８】
図１〜図４は、本発明に係る巻線部品を横型のトロイダルタイプのコモンモードコイルに適用した一実施形態を示すものである。なお、上記横型とは、後述する第１の巻線および第２の巻線が巻回されたコア１０の軸線を基板の板面に平行にして実装されるものである。
【００１９】
これらの図において、符号１０は磁性体からなる厚肉円筒状の芯材の外周が絶縁性を有する合成樹脂からなる有底円筒状のコアカバー１１および当該コアカバー１１の開口部を塞ぐ蓋体１１ａによって覆われたコアである。
【００２０】
このコアカバー１１の外周には、コアカバー１１の外周を第１の巻線部と第２の巻線部とに２分割する壁状のリブ１２が、直径方向に対向する位置に一体成形されている。そして、コアカバー１１の第１の巻線部に第１の巻線１３が巻回されるとともに、第２の巻線部に第２の巻線１４が巻回されている。
【００２１】
そして、このコモンモードコイルにおいては、リブ１２の外周部に、第１および第２の巻線１３、１４の引出線１５，１６を固定するための固定部１７が一体に形成されている。この固定部１７は、コア１０の接線方向と軸線方向へ延在する平板状に形成されたもので、その板厚ｔが引出線１５、１６の線径よりも大きくなる寸法に形成されている。
【００２２】
また、この固定部１７は、コア１０の軸線方向の長さ寸法が、図２に示すように、第１および第２の巻線１３、１４の外周よりも外方に突出するように形成されており、これにより上記突出部分が脚部１８とされている。
【００２３】
さらに、固定部１７の上記接線方向の両端面には、図２および図４に示すように、第１の巻線１３または第２の巻線１４の引出線１５、１６が固定部１７の内面１７ａ側から外面１７ｂ側に引き出される凹溝部２０が形成されている。
【００２４】
ここで、固定部１７においては、引出線１５、１６が引き出される内面１７ａから凹溝部２０の内周面に至る部分、および凹溝部２０の内周面から固定部１７の外面１７ｂに至る部分が、それぞれ引出線１５、１６の線径よりも大きなＲ部２０ａ、２０ｂによって形成されている。
【００２５】
一方、上記凹溝部２０から固定部１７の外面１７ｂに引き出された引出線１５、１６は、それぞれの先端部分１５ａ、１６ａを固定部１７の脚部１８から外方に突出させて配置されている。そして、固定部１７における脚部１８の外面１７ｂには、この外面１７ｂに沿って引き出された引出線１５、１６を固定するための位置決め部２１が一体に形成されている。
【００２６】
この位置決め部２１は、外観略円柱状の突起であり、引出線１５、１６の先端部分１５ａ、１６ｂが図示されない基板の孔部と対向する位置に配置されるように、外面１７ｂ上の所定箇所に対向配置され、これら位置決め部２１間に引出線１５、１６が嵌合固定されている。
【００２７】
以上の構成からなる横型のコモンモードコイルによれば、コアカバー１１のリブ１２の外周部に固定部１７を一体成形し、コアカバー１１に巻回された第１および第２の巻線１３、１４の引出線１５、１６を、各々固定部１７の内面１７ａ側から屈曲させて凹溝部２０を通し、さらに外面１７ｂ側に屈曲させて引き出すとともに、先端部分１５ａ、１６ａを固定部１７から突出させた状態で、固定部１７の脚部１８の外面１７ｂに設けた位置決め部２１により固定しているために、第１および第２の巻線１３、１４の引出線１５、１６は、それぞれ固定部１７の凹溝部２０において動きが拘束されたうえで、位置決め部２１において固定されている。この結果、従来のように台座等の別部品を使用することなく、容易に第１および第２の巻線１３、１４の引出線１５、１６を高い精度で位置決めして固定することができる。
【００２８】
加えて、位置決め部２１が形成されている固定部１７の脚部１８が、第１および第２の巻線１３、１４の外周よりも軸線方向外方に突出するように形成されているために、引出線１５、１６の先端部分１５ａ、１６ａを基板の孔部に挿入した際に、脚部１８が基板上に当接して第１および第２の巻線１３、１４の外周との間に空間を形成することができる。これにより、このコモンモードコイルを基板に実装した際に、第１または第２の巻線１３、１４が基板上の回路パターンと干渉することを確実の防止することができる。
【００２９】
さらに、固定部１７における引出線１５、１６が通される凹溝部２０の角部を、引出線１５、１６の線径よりも大きなＲ部２０ａ、２０ｂによって形成しているために、引出線１５、１６の線径が大きい場合においてもＲ部２０ａ、２０ｂに沿って容易に屈曲させて脚部１８の外面１７ｂ側に引き出すことができる。
【００３０】
しかも、固定部１７の板厚ｔを、引出線１５、１６の線径よりも大きくしているために、同様に引出線１５、１６の線径が大きい場合においても、屈曲時に固定部１７が撓んだり歪んだりすることを防止することができる。
【００３１】
なお、上記実施形態においては、本発明に係る巻線部品を横型のトロイダルタイプのコモンモードコイルに適用した場合についてのみ説明したが、本発明はこれに限定されるものではなく、第１の巻線および第２の巻線が巻回されたコアの軸線を基板の板面に平行にして、当該第１および第２の巻線の引出線が基板に実装されるものであれば、各種の巻線部品に対しても同様に適用することが可能である。
【符号の説明】
【００３２】
１０  コア
１１  コアカバー
１２  リブ
１３  第１の巻線
１４  第２の巻線
１５、１６  引出線
１７  固定部
１７ａ  固定部の内面
１７ｂ  固定部の外面
１８  脚部
２０  凹溝部
２０ａ、２０ｂ  Ｒ部
２１  位置決め部
【図１】
2017073485.tif 000003
【図２】
2017073485.tif 000004
【図３】
2017073485.tif 000005
【図４】
2017073485.tif 000006
【図５】
2017073485.tif 000007